(57)【要約】【課題】  ロータ磁石の回転方向の固定力が不安定である。  【解決手段】  ロータカナ１aと径大部１bを有するロータ軸１と、ロータ軸１に装着されるリング状のロータ磁石２と、ロータ磁石２を保持するためにロータ軸１に装着したロータ座３とを有するロータで、ロータ座３がロータ磁石２と当接する側に平面部３bを有し、平面部３bの周縁にリング状の凸部３cを形成する。ロータ軸１にロータ磁石２を挿入し、凸部３cがロータ磁石２に当接して塑性変形するまでロータ座３押込むことにより、ロータ軸１の径大部１bとロータ座３でロータ磁石２を挟持・固着する。ロータ軸１の径大部１bは、ロータ磁石が当接する側の軸部の周囲に凹部１dを形成し、径大部１bの周縁部１eでロータ磁石２に当接するようにする。ロータカナと径大部は一体でも良い。ロータ座の凸部は平面部の周縁に点在して設けても良い。そうすることによりロータ磁石の回転方向の固定力が向上する。【選択図】  図１
2008058220.tif 000002
【特許請求の範囲】
【請求項１】
径大部を有するロータ軸と、該ロータ軸に装着されるリング状のロータ磁石と、該ロータ磁石を保持するために前記ロータ軸に装着したロータ座とを有する時計用ステップモータのロータにおいて、
前記ロータ座が前記ロータ磁石と当接する側に凸部を有し、前記ロータ軸に前記ロータ磁石を挿入し、前記凸部が前記ロータ磁石に当接して塑性変形するまで前記ロータ座を押込むことにより、前記ロータ軸の前記径大部と前記ロータ座で前記ロータ磁石を挟持して固着したことを特徴とする時計用ステップモータのロータ。
【請求項２】
前記凸部は、リング状に設けられていることを特徴とする請求項１に記載の時計用ステップモータのロータ。
【請求項３】
前記凸部は、点在して設けられていることを特徴とする請求項１に記載の時計用ステップモータのロータ。
【請求項４】
前記凸部は、前記ロータ磁石と当接する側の周縁に設けられていることを特徴とする請求項1から請求項３のいずれか一つに記載の時計用ステップモータのロータ。
【請求項５】
前記凸部は、前記ロータ磁石と当接する側の平面部の周縁に設けられていることを特徴とする請求項1から請求項３のいずれか一つに記載の時計用ステップモータのロータ。
【請求項６】
前記径大部は、前記ロータ磁石が当接する側の軸部の周囲に凹部を有し、前記ロータ磁石が前記径大部の周縁と当接するようにしたことを特徴とする請求項１から請求項５のいずれか一つに記載の時計用ステップモータのロータ。
【請求項７】
前記径大部がカナ部を有することを特徴とする請求項１から請求項６のいずれか一つに記載の時計用ステップモータのロータ。
【発明の詳細な説明】
【技術分野】
【０００１】
本発明は、時計用ステップモータのロータに係わり、詳しくは、ロータ軸にロータ磁石を固着する構造に関する。
【背景技術】
【０００２】
従来より、時計用ステップモータのロータは、ロータ軸と、該ロータ軸に装着されるリング状のロータ磁石と、ロータ軸と径方向で係合すると共に、ロータ磁石をロータ軸の軸方向に保持する板状のロータ座で構成される時計用ステップモータのロータが提案されている。（例えば、特許文献１参照）
【特許文献１】特開２００５−２４９４３３号（第２〜３頁、図１〜図２）  図５〜図７は、上記した特許文献１に開示されている時計用ステップモータのロータを示す断面図である。図５において、１１は、ロータカナ１１aと両端にホゾ１１bを有し回転軸を構成するロータ軸、１２は、前記ロータ軸１１に装着されるリング状のロータ磁石、１３は、円板状のロータ座であり、該ロータ座１３は前記ロータ軸１１と径方向で係合する軸穴部１３aと、ロータ軸１１の軸方向でロータ磁石１２と当接する側に、ロータ磁石１２に当接して支持する支持部１３bで構成されている。
【０００３】
前記従来技術の時計用ステップモータのロータにおいて、ロータ軸１１にロータ磁石１２を挿入後、ロータ軸１１にロータ座１３の軸穴部１３aを挿入する。この状態で、ロータ座１３の軸穴部１３aをロータ軸１１の軸方向の押し込むことにより、ロータ軸１１とロータ座１３の支持部１３bとは径嵌合によって係止され、これによりロータ磁石１２はロータ軸１１のロータカナ１１ａとロータ座１３の支持部１３bとにより挟持され、ロータ軸１１上に固着される。しかしながら、前記ロータ軸１１の軸径とロータ座１３の軸穴部１３aのそれぞれの径方向のバラツキ、ロータ軸１１の軸方向の長さバラツキ、ロータ座１３の厚さバラツキなどにより、ロータ軸１１にロータ座１３を押し込む際に、ロータ座１３を押し込み過ぎると、ロータ磁石１２に割れを生じたり、また、ロータ磁石１２の割れを気にして押し込みが弱いと、ロータ磁石１２は確実に固定されず固定力が不足する。という課題があった。
【０００４】
そこで、上記課題を解決するための、他の従来技術として、図6、図７に示す時計用ステップモータのロータが提案された。図６において、上述した構成と異なるところは、ロータ座の形状で、該ロータ座１４は、前記ロータ軸１１と径方向で係合する軸穴部１４aと、ロータ軸１１の軸方向でロータ磁石１２をリング状に支持する支持部１４bと、前記軸穴１４aと支持部１４bとを接続するダイヤフラム部１４cとから構成されている。
【０００５】
図７に示すように、ロータ座１４の軸穴部１４aをロータ軸１１の軸方向に押し込むことにより、ダイヤフラム部１４cを塑性変形させる。この結果、ロータ軸１１のカナ部１１aとロータ座１４の支持部１４bと軸穴部１４aとによってロータ磁石１２は挟持され、ロータ軸１１上に固着される。
【発明の開示】
【発明が解決しようとする課題】
【０００６】
解決しようとする問題点は、前記ロータ座１４のダイヤフラム部１４cが変形し、更に、ロータ座１４を強く押すことにより、ダイヤフラム部１４cが塑性変形するので、ロータ磁石１２に当接する支持部１４bの固定力が弱くなることである。また、従来の構造ではロータ座１４の軸穴部１４aとロータ軸１１との接触面が少なく、ロータ磁石１２の固定力が低下するなど問題があった。
【０００７】
本発明は、上述した欠点を解消するもので、その目的は、ロータ軸にロータ磁石を確実に挟持・固着する固定力の強い時計用ステップモータのロータの構造を提供するものである。
【課題を解決するための手段】
【０００８】
上記目的を達成するために、本発明における時計用ステップモータのロータは、径大部を有するロータ軸と、該ロータ軸に装着されるリング状のロータ磁石と、該ロータ磁石を保持するために前記ロータ軸に装着したロータ座とを有する時計用ステップモータのロータにおいて、
前記ロータ座が前記ロータ磁石と当接する側に凸部を有し、前記ロータ軸に前記ロータ磁石を挿入し、前記凸部が前記ロータ磁石に当接して塑性変形するまで前記ロータ座を押込むことにより、前記ロータ軸の前記径大部と前記ロータ座で前記ロータ磁石を挟持して固着したことを特徴とするものである。
【０００９】
また、前記凸部は、リング状に設けられていることを特徴とするものである。
【００１０】
また、前記凸部は、点在して設けられていることを特徴とするものである。
【００１１】
また、前記凸部は、前記ロータ磁石と当接する側の周縁に設けられていることを特徴とするものである。
【００１２】
また、前記凸部は、前記ロータ磁石と当接する側の平面部の周縁に設けられていることを特徴とするものである。
【００１３】
また、前記径大部は、前記ロータ磁石が当接する側の軸部の周囲に凹部を有し、前記ロータ磁石が前記径大部の周縁と当接するようにしたことを特徴とするものである。
【００１４】
また、前記径大部がカナ部を有することを特徴とするものである。
【発明の効果】
【００１５】
本発明の時計用ステップモータのロータにおいては、ロータ座がロータ磁石と当接する側に凸部が形成され、凸部がロータ磁石に当接して塑性変形するまでロータ座を押し込むことにより、ロータ軸及びロータ座の軸穴部のバラツキの影響による当接力の変化を、凸部の塑性変形量の多少で吸収することができると同時に、ロータ座がロータ軸と係合する接触面が充分に確保される。また、前記ロータ座が塑性変形している状態を目視で観察することにより、ロータ座がロータ磁石に対して確実に当接していることを確認できる。更に、ロータ軸の径大部には、ロータ磁石と当接する側の軸部の周囲に凹部が形成され、ロータ磁石は径大部の周縁と当接するので、ロータ磁石はロータ軸の径大部周縁とロータ座で挟持されて、ロータ磁石の回転方向の固定力が向上する。よって、ロータ磁石の割れの解消と同時に、ロータ磁石の固定力に優れた時計用ステップモータのロータを提供することが可能である。
【発明を実施するための最良の形態】
【００１６】
本発明の時計用ステップモータのロータについて、図面に基づいて説明する。
【実施例】
【００１７】
図１〜図４は、本発明の一実施例に係り、図１は、時計用ステップモータのロータの要部切欠き断面図、図２（a）は、図１のA部の拡大断面図、図２（ｂ）は、図１のB部の拡大断面図、図３は、図１のロータ座の部分断面図、図４は、図３のロータ座の斜視図であ
る。
【００１８】
図1〜図４に基づき、本発明の実施例における時計用ステップモータのロータの構成について説明する。
【００１９】
図１において、ロータ軸１は、ロータカナ１aと径大部１bを有し、両端にホゾ１cを備えている。ロータ磁石２は、前記ロータ軸１に装着されるリング状をした希土類磁石より構成されている。ロータ座３は、前記ロータ磁石２を保持するために前記ロータ軸１に装着されている。
【００２０】
図3、図４において、前記ロータ座３は、前記ロータ軸１と軸方向で係合する軸穴部３aと、前記ロータ磁石２と当接する側に設けた平面部３bと、該平面部３bの周縁に形成されたリング状の凸部３cとからなっている。前記ロータ座３はロータ軸１と係合する軸穴部３aの接触面が充分に確保され、ロータ座３の剛性を確保することができる。本実施例では、凸部３cを平面部３bの周縁にリング状に形成したが、連続したリングを部分的に切り欠いて、平面部３bの周縁に凸部３cを複数個均等に点在させても良い。
【００２１】
図1及び図２において、前記ロータ軸１の径大部１bは、ロータ磁石２が当接する側の軸部において、軸芯に向かって傾斜するように凹部１dを有し、該凹部１dによって前記ロータ磁石２が前記径大部１bの周縁部１eと当接するように構成されている。本実施例では、ロータカナ１aと径大部１bとを分離したが、径大部１ｂとロータカナ1aを一体に形成しても良い。
【００２２】
以上述べた時計用ステップモータのロータを構成する部材の組立て方法について説明する。先ず、図１に示すように、ロータ軸１の径大部1bにロータ磁石２が当接するまで挿入した後、ロータ軸１にロータ座３の軸穴部３aを挿入し、ロータ座３のリング状の凸部３cがロータ磁石２に当接して塑性変形するまで押し込む。ロータ磁石２は、ロータ軸１の径大部１bとロータ座３に挟持され固着される。
【００２３】
上記構成の時計用ステップモータのロータの作用・効果について説明する。前記ロータ座３のリング状をした凸部３cがロータ磁石２に当接して塑性変形するまでロータ座３を押し込むことにより、ロータ軸及びロータ座の軸孔部のバラツキの影響による当接力の変化を、凸部の塑性変形量の多少で吸収することができると同時に、ロータ座がロータ軸と係合する接触面が充分に確保される。また、ロータ座３の軸穴部３aの厚みを充分に確保できるので、ロータ座３の剛性が確保され、ロータ軸１と係合する接触面を充分に確保することができる。またロータ座３の凸部３ｃが塑性変形している状態を目視で観察することにより、ロータ座３がロータ磁石２に対して確実に当接していることを確認できる。更に、ロータ軸１の径大部１bがロータ磁石２と当接する側において、従来は、径大部１bの当接面で軸部周縁が盛り上がっていると、軸部周縁で当接することになり、ロータ磁石の回転方向の固定力を弱めていたが、本実施例の場合は、軸部の周囲に凹部１dが形成されていて、ロータ磁石２は径大部１bの周縁部１eで確実に当接するので、ロータ軸１の径大部１bとロータ座３でロータ磁石２の回転方向の固定力を向上させることができる。以上のようにロータ磁石２の割れの解消と同時に、ロータ磁石２の固定力が向上する優れた時計用ステップモータのロータを提供することができる。
【図面の簡単な説明】
【００２４】
【図１】時計用ステップモータのロータの要部切欠き断面図である。
【図２】図２（a）は、図１のA部の拡大断面図、図２（ｂ）は、図１のB部の拡大断面図である。
【図３】図１のロータ座の部分断面図である。
【図４】図３のロータ座の斜視図である。
【図５】従来技術の時計用ステップモータのロータの断面図である。
【図６】他の従来技術の時計用ステップモータのロータのロータ軸にロータ磁石とロータ座を挿入した状態の断面図である。
【図７】図６の状態でロータ座を塑性変形させた状態の断面図である。
【符号の説明】
【００２５】
１  ロータ軸
１a  ロータカナ
１b  径大部
１c  ホゾ
１d  凹部
１e  周縁部
２  ロータ磁石
３  ロータ座
３a  軸穴部
３b  平面部
３c  凸部
【図１】
2008058220.tif 000003
【図２】
2008058220.tif 000004
【図３】
2008058220.tif 000005
【図４】
2008058220.tif 000006
【図５】
2008058220.tif 000007
【図６】
2008058220.tif 000008
【図７】
2008058220.tif 000009